(57)【要約】【課題】  発光基板の後方に通路部が配置されても、発光基板の実装部品やプリント配線部に影響されず、その通路部を流下する遊技球を良好に視認することができる遊技機を提供する。【解決手段】  遊技盤上に形成された遊技領域の所定位置に設けられ、上流側の入口部３０ａで遊技球を流入させ、その流入した遊技球を下流側の出口部から流出可能な通路部３０と、遊技者側を前側として、その通路部３０の前側に配置され、透明又は半透明などの透視性を有するとともに、発光部４１が実装された発光基板４２とを含み、通路部３０を通過する遊技球を発光基板４２越しに視認することができるとともに、発光部４１の発光態様が変化して通路部３０が装飾される。【選択図】図３
2010220973.tif 000002
【特許請求の範囲】
【請求項１】
遊技盤上に形成された遊技領域の所定位置に設けられ、上流側の入口部で遊技球を流入させ、その流入した遊技球を下流側の出口部から流出可能な通路部と、
遊技者側を前側として、その通路部の前側に配置され、透明又は半透明などの透視性を有するとともに、発光部が実装された発光基板と、を含み、
前記通路部を通過する遊技球を前記発光基板越しに視認することができるとともに、前記発光部の発光態様が変化して前記通路部が装飾されることを特徴とする遊技機。
【請求項２】
前記通路部の後側には、光を反射するリフレクタが配置され、
前記発光部が前記通路部を間に挟んでリフレクタに向けて発光し、該リフレクタがその光を反射して前記発光基板を介して前方に向けて照射する請求項１に記載の遊技機。
【発明の詳細な説明】
【技術分野】
【０００１】
本発明は、遊技機に関する。
【背景技術】
【０００２】
従来の遊技機には、光源が配置された電飾基板（発光基板）と、光源に対峙するレンズ部材とを一体に構成した電飾用遊技部品の後方に遊技球流下領域を配置して遊技球流下領域の広さを確保しつつ、その遊技球流下領域（通路部）を流下する遊技球を視認可能としたものがある（例えば、特許文献１参照。）。
【先行技術文献】
【特許文献】
【０００３】
【特許文献１】特開２００７−１８０号公報
【０００４】
特許文献１記載の技術によれば、電飾基板の実装部品及びプリント配線部を避けた位置にレンズ部材及び電飾基板各々に貫通孔が設けられており、その貫通孔を介して遊技球流下領域を流下する遊技球を視認可能としたものである。
【０００５】
しかしながら、貫通孔を介して流下する遊技球を視認するには、複数の貫通孔を要することになるが、それら貫通孔の形成位置が電飾基板の実装部品（光源）やプリント配線部を避けて形成しなければならないという制約を受けるので、必ずしも遊技の興趣を確保できる位置に十分な大きさの貫通孔を配置できるとは限らない。また反対に、貫通孔を形成することが実装部品（光源）やプリント配線部の配置の自由度を阻害することになりかねない。
【０００６】
したがって、電飾用遊技部品の後方に遊技球流下領域（通路部）が配置されても、電飾基板（発光基板）の実装部品やプリント配線部に影響されず、その遊技球流下領域（通路部）を流下する遊技球を良好に視認することができ、さらなる興趣の向上が望める遊技機の開発が求められている。
【発明の概要】
【発明が解決しようとする課題】
【０００７】
本発明の課題は、上記実情に鑑みてなされたものであり、発光基板の後方に通路部が配置されても、発光基板の実装部品やプリント配線部に影響されず、その通路部を流下する遊技球を良好に視認することができる遊技機を提供することにある。
【課題を解決するための手段】
【０００８】
上記課題を解決するために、本発明の遊技機は、
遊技盤上に形成された遊技領域の所定位置に設けられ、上流側の入口部で遊技球を流入させ、その流入した遊技球を下流側の出口部から流出可能な通路部と、
遊技者側を前側として、その通路部の前側に配置され、透明又は半透明などの透視性を有するとともに、発光部が実装された発光基板と、を含み、
通路部を通過する遊技球を発光基板越しに視認することができるとともに、発光部の発光態様が変化して通路部が装飾されることを特徴とする。
なお、ここでいう上流側及び下流側とは、遊技領域における上側を上流側、下側を下流側としたものではなく、通路部における遊技球の流れ方向に対して入口部側を上流側、出口部側を下流側としたものである。
【発明の効果】
【０００９】
上記本発明の遊技機によれば、遊技球が内部を通過することができる通路部の前側に発光部を実装した透視性を有する発光基板が配置されている。これによれば、発光基板が透視性を有するので、通路部の内部を通過する遊技球が発光基板によって遮蔽されることがなくなり、遊技者は通路部で遊技球を見失うことなく良好に視認することができる。すなわち、通路部の内部を通過する遊技球を視認するための貫通孔を発光基板に設ける必要がなくなる。そして、発光基板において実装部品やプリント配線部における配置の制約がないので、通路部に対して幅広く発光部を配置することができ、その発光部の発光態様を変化させて効果的に通路部を装飾することが可能となる。ひいては、遊技の興趣を向上させることができる。なお、通路部においては、透明又は半透明などの透視性を有する筒状の通路部によって形成してもよいし、前面側が開放した形で形成されていてもよい。
【００１０】
また、通路部の後側には、光を反射するリフレクタが配置され、
発光部が通路部を間に挟んでリフレクタに向けて発光し、該リフレクタがその光を反射して発光基板を介して前方に向けて照射する構成とすることができる。
【００１１】
これによれば、通路部の前側に配置された発光部が後方のリフレクタに向けて発光し、リフレクタがその光を反射して前方に向けて照射するので、透明又は半透明などの透視性を有する発光基板において反射光が妨げられることなく、効率よく照射面積を拡大した状態で通路部を発光させることができる。そして、通路部の内部を遊技球が流下して発光部の光を遮った場合にも、その光が遊技球を前側から直接照射することとなり、発光部が後側から照射したときのように遊技球によって影となることがない。ひいては、遊技球によって照射された光を前方に向けて拡散することができ、遊技者にとって予測できない発光態様で演出することが可能となり、興趣を一層向上させることができる。
【図面の簡単な説明】
【００１２】
【図１】本発明の実施形態に係る遊技機の一例を示す正面図である。
【図２】図１の遊技機の要部拡大図である。
【図３】図２のＡ−Ａ断面図である。
【図４】通路部の縦断面図である。
【発明を実施するための形態】
【００１３】
以下、本発明における実施形態について図面を参照しつつ説明する。
【実施例】
【００１４】
図１に示すように、遊技機（以下、ぱちんこ機ともいう）１には、遊技盤２が設けられている。この遊技盤２の盤面２ａ（前面）には、円形の遊技領域２ｂが形成されており、この遊技領域２ｂは内外２本のガイドレール２ｃによって形成されている。そして、遊技領域２ｂの中央には、液晶表示部３ａが搭載されたセンター役物３が配置され、そのセンター役物３の下方（遊技領域２ｂの中央下部）には大入賞口としてのアタッカー４が配置されている。また、センター役物３とアタッカー４との間には、始動入賞口としての電動チューリップ（電チュー）５が配置されている。
【００１５】
センター役物３は、液晶表示部３ａの前側には、電チュー５の始動入賞口に遊技球を誘導することが可能なステージ３ｓが形成されており、該液晶表示部３ａの側方（例えば、左側）には、ステージ３ｓに遊技球を誘導する通路部３０が形成されている。
【００１６】
なお、本明細書において、ぱちんこ機１における上下方向とは遊技盤２の盤面２ａに沿う態様で遊技球が流下する方向（鉛直方向）を意味する。また、左右方向とは遊技盤２の盤面２ａに沿う態様で上下方向に直交する方向（水平方向）を意味する。また、前後方向とは遊技盤２の盤面２ａに直交する方向（水平方向）を意味し、盤面２ａの遊技者側が前側であり、盤面２ａの奥側が後側である。
【００１７】
通路部３０は、図２及び図３に示すように、遊技盤２上に形成された遊技領域２ｂの所定位置で、上流側の入口部３０ａから流入した遊技球Ｐが内部を流下（通過）して下流側の出口部３０ｂから流出可能である。具体的には、通路部３０は、センター役物３の左側を流下してきた遊技球のうち、その左側（外側）に開口する入口部３０ａに流入してきた遊技球Ｐを、センター役物３の内側に開口する出口部３０ｂからステージ３ｓに向けて流出させるものである。なお、通路部３０は、遊技球の自重により、上側から下側に流下するものだけでなく、螺旋体などにより強制的に下側から上側に流下させるものでもよい。
【００１８】
そして、通路部３０には、例えば入口部３０ａ近傍において、該通路部３０を装飾する装飾部４０が形成されている。装飾部４０は、透明又は半透明などの透視性を有するとともに、発光部４１が実装された発光基板４２と、光を反射するリフレクタ４３と、透明又は半透明などの透視性を有するとともに、光を拡散するレンズ部材４４とを備えている。
【００１９】
発光基板４２は、通路部３０の前側に配置され、その発光基板４２の前側にレンズ部材４４が配置されている。また、リフレクタ４３は、発光基板４２と通路部３０を間に挟む形で通路部３０の後側に配置されている。したがって、通路部３０の前側に配置された、発光基板４２及びレンズ部材４４は、透視性を有するので、通路部３０を流下する遊技球Ｐを発光基板４０越しに視認することができる。さらには、発光部４１が通路部３０の前側で発光し、その発光態様が変化して通路部３０を装飾することができる。なお、本実施形態における装飾部４０は、通路部３０の別部材としてリフレクタ４３を備えているが、通路部３０の後側にメッキや鏡面加工などの表面処理を施してリフレクタ４３を代用することも可能である。
【００２０】
また、発光部４１は、通路部３０に対向する発光基板４２の後側面に実装されており、通路部３０を通してリフレクタ４３に向けて発光することができる。これにより、発光部４１が発光すると、リフレクタ４３がその光を反射して発光基板４２及びレンズ部材４４を介して前方に向けて照射することができる。そして、通路部３０を遊技球Ｐが流下したときには、その遊技球Ｐによって発光部４１が照射した光が前方に向けて拡散されることとなる。
【００２１】
また、図４に示すように、発光基板４２は、柔軟性を有する透明フレキシブル基板で形成することができる。これにより、例えば湾曲形成された通路部３０の外周面に沿わせて発光基板４２を配置することができるので、少ない（例えば、１つ）発光基板４２においても、複数の発光部４１を配置して通路部３０に対して様々な角度から照射することが可能となる。
【００２２】
なお、装飾部４０は、発光部４１Ａのように、発光基板４２の前面側に実装してもよい。その場合には、通路部３０を流下する遊技球によって光を遮られることなく、前方に向けて照射することができる。さらには、通路部３０の入口部３０ａ（上流側）に遊技球の流入を検知する検知スイッチ（例えば、近接スイッチ，図示せず）を配置して、その検知スイッチによる遊技球の検知に基づき、発光部４１を連動させて発光して遊技球の通過を報知することができる。また、通路部３０に沿って発光部４１Ａを複数配置して、遊技球Ｐの通過（流れ）に合わせて順次発光し、興趣を一層高めることができる。
【００２３】
本発明では遊技機の一例としてぱちんこ機について説明したが、他に例えばアレンジボール遊技機、雀球遊技機等の遊技機に適用することができる。
【符号の説明】
【００２４】
１  ぱちんこ機（遊技機）
２  遊技盤
２ａ  盤面
２ｂ  遊技領域
２ｃ  ガイドレール
３  センター役物
３ａ  液晶表示部
３ｓ  ステージ
３０  通路部
３０ａ  入口部
３０ｂ  出口部
４０  装飾部
４１，４１Ａ  発光部
４２  発光基板
４３  リフレクタ
４４  レンズ部材
【図１】
2010220973.tif 000003
【図２】
2010220973.tif 000004
【図３】
2010220973.tif 000005
【図４】
2010220973.tif 000006